(57)【要約】【課題】屋外フードの上部の隙間をコーキングすることなく雨水の室内への浸入を防止した換気扇を得ること。【解決手段】アルミパネル２０の開口を通過する換気流を生成する換気扇本体７と、複数の部品を接合してフランジを有するように形成された屋外フード８と、アルミパネル２０の開口よりも小さい開口を備えかつ外形はアルミパネル２０の開口よりも大きい略額状であり、屋内側からは換気扇本体７が、屋外側からは屋外フード８がそれぞれ固定される固定枠１０と、固定枠１０の上部及び下部に、固定枠１０との間にアルミパネル２０を挟持可能に屋外側から装着される板取付金具１１とを有し、固定枠１０の上部に装着される板取付金具１１は屋外側に突出して屋外フード８の上部のフランジの合わせ目に存在する隙間８ｂを覆う庇状部１１ａを備える。【選択図】図４
2011169564.tif 000002
【特許請求の範囲】
【請求項１】
屋内外を隔てる板状部材の開口部に設置される換気扇であって、
前記板状部材の開口を通過する換気流を生成する換気流生成装置と、
複数の部品を接合してフランジを有するように形成された屋外フードと、
前記板状部材の開口よりも小さい開口を備えかつ外形は該板状部材の開口よりも大きい略額状であり、屋内側からは前記換気流生成装置が、屋外側からは前記屋外フードがそれぞれ固定される固定枠と、
前記固定枠の上部及び下部に、該固定枠との間に前記板状部材を挟持可能に屋外側から装着された取付金具とを有し、
前記固定枠の上部に装着される取付金具は屋外側に突出して前記屋外フードの上部の前記フランジの合わせ目を覆う庇状部を備えることを特徴とする換気扇。
【請求項２】
屋内外を隔てる板状部材の開口部に設置される換気扇であって、
前記板状部材の開口を通過する換気流を生成する換気流生成装置と、
複数の部品を接合してフランジを有するように形成された屋外フードと、
前記板状部材の開口よりも小さい開口を備えかつ外形は該板状部材の開口よりも大きい略額状であり、屋内側からは前記換気流生成装置が、屋外側からは前記屋外フードがそれぞれ固定される固定枠と、
前記換気流生成装置及び前記屋外フードを前記固定枠に固定するために該固定枠の上部及び下部の屋外側に設置される固定金具と、
前記固定枠の上部及び下部に、該固定枠との間に前記板状部材を挟持可能に屋外側から装着された取付金具とを有し、
前記固定枠の上部に装着される固定金具は屋外側に突出して前記屋外フードの上部の前記フランジの合わせ目を覆う庇状部を備えることを特徴とする換気扇。
【請求項３】
前記固定枠は、前記屋外フードが固定される側にパッキンを備えることを特徴とする請求項１又は２記載の換気扇。
【請求項４】
前記庇状部は、先端側が下がるように傾斜していることを特徴とする請求項１から３のいずれか１項記載の換気扇。
【発明の詳細な説明】
【技術分野】
【０００１】
本発明は、屋内外を隔てる板状部材の開口部分に設置される換気扇に関する。
【背景技術】
【０００２】
建造物に換気扇を後付けするにあたって、換気扇の取り付け用の穴を新たに壁に開けることが困難である場合には、板状部材の開口部分に取り付け可能な換気扇が用いられる（特許文献１参照）。例えば、開口を備えたアルミパネル等を窓ガラスの代わりにサッシへ設置するなどした上で、アルミパネルの開口部に換気扇が取り付けられる。
【０００３】
また、一般に屋内外の空気を換気する換気扇には、雨水の浸入を防止するために屋外側に屋外フードが装着される。
【先行技術文献】
【特許文献】
【０００４】
【特許文献１】特開２００８−６９９９５号公報
【発明の概要】
【発明が解決しようとする課題】
【０００５】
しかしながら、アルミパネルなどの板状部材の開口部に換気扇を取り付ける場合は、屋外と室内とが薄い板で隔てられるため、屋外フードの上部に存在する小さな隙間からフード内に雨水が入り込むと、隙間から入り込んだ雨水は室内にまで浸入しやすい。
【０００６】
このため、板状部材の開口部分に設置する換気扇は、屋外フードの上部の隙間をコーキングする必要があり、設置作業の工数が増加してしまうという問題があった。
【０００７】
本発明は、上記に鑑みてなされたものであって、屋外フードの上部の隙間をコーキングすることなく雨水の室内への浸入を防止した換気扇を得ることを目的とする。
【課題を解決するための手段】
【０００８】
上述した課題を解決し、目的を達成するために、本発明は、屋内外を隔てる板状部材の開口部に設置される換気扇であって、板状部材の開口を通過する換気流を生成する換気流生成装置と、複数の部品を接合してフランジを有するように形成された屋外フードと、板状部材の開口よりも小さい開口を備えかつ外形は該板状部材の開口よりも大きい略額状であり、屋内側からは換気流生成装置が、屋外側からは屋外フードがそれぞれ固定される固定枠と、固定枠の上部及び下部に、該固定枠との間に板状部材を挟持可能に屋外側から装着された取付金具とを有し、固定枠の上部に装着される取付金具は屋外側に突出して屋外フードの上部のフランジの合わせ目を覆う庇状部を備えることを特徴とする。
【発明の効果】
【０００９】
本発明によれば、屋外フードの上部の隙間をコーキングすることなくフード内への雨水の浸入を防止でき、ひいては板状部材に取り付けた場合でも雨水の室内への浸入を防止できるという効果を奏する。
【図面の簡単な説明】
【００１０】
【図１】図１は、本発明の実施の形態１に係る換気扇の設置図である。
【図２】図２は、実施の形態１に係る換気扇の斜視図である。
【図３】図３は、実施の形態１に係る換気扇の側面図である。
【図４】図４は、実施の形態１に係る換気扇の上部側面の拡大図である。
【図５】図５は、実施の形態１に係る換気扇の屋外フードの構成を示す図である。
【図６】図６は、従来の換気扇の斜視図である。
【図７】図７は、従来の換気扇の上部側面の拡大図である。
【図８】図８は、実施の形態２に係る換気扇の斜視図である。
【図９】図９は、実施の形態２に係る換気扇の上部側面の拡大図である。
【発明を実施するための形態】
【００１１】
以下に、本発明にかかる換気扇の実施の形態を図面に基づいて詳細に説明する。なお、この実施の形態によりこの発明が限定されるものではない。
【００１２】
実施の形態１．
本発明の実施の形態１に係る換気扇５０は、例えば、図１に示すように、窓サッシ３０に設置されたアルミパネル２０の開口部に装着される。
【００１３】
図２は、実施の形態１に係る換気扇５０の構成を示す斜視図である。図３は、換気扇５０の側面図である。図４は、換気扇５０の上部側面の拡大図である。本実施の形態に係る換気扇５０は、換気扇本体７、屋外フード８、固定枠１０、固定金具９、及び板取付金具１１、１２を有する。
【００１４】
換気扇本体７は、不図示のファンやモータなどを備えており、アルミパネル２０の開口部を通過する換気流を生成する。換気扇本体７は、固定枠１０と当接するフランジ７ａを備えている。
【００１５】
屋外フード８は、アルミパネル２０の開口部に設置されて換気扇本体７を屋外側から覆う部材であり、固定枠１０と当接する端部にフランジ８ａを備えている。屋外フード８は、板金加工によって形成された複数の部品を接合して構成されており、フランジ８ａの隅の部分では２枚の板金部品が重なりあう構造であるため、屋外フード８の天面と側面とフランジ８ａとの境界部分には、図５に示すように隙間８ｂが存在している。
【００１６】
固定枠１０は、換気扇本体７と屋外フード８とを一体のユニットとするための部材であり、中央が開口した額状である。固定枠１０は、中央の開口を囲うように屋外側に設置されたパッキン１０ａを備えており、屋外フード８との隙間８ｂから雨水が浸入することが防止されている。パッキン１０ａは、アルミパネル２０の開口よりも一回り大きい外形形状となるように上下左右に計四つ設置されている。
【００１７】
固定金具９は、換気扇本体７と屋外フード８とを固定枠１０に一体に固定するための雌ネジを備えた部材であり、固定枠１０の開口部の上方及び下方において、フランジ８ａの屋外側に配置され、フランジ７ａ、８ａ及び固定枠１０とともにネジ止めされることによって換気扇本体７と屋外フード８とを固定枠１０に一体化する。
【００１８】
板取付金具１１、１２は、固定金具９によって固定枠１０に一体に固定された換気扇本体７及び屋外フード８をアルミパネル２０の開口に設置するための金具である。板取付金具１１、１２は、板取付金具１１は固定枠１０の上枠の屋外側に、板取付金具１２は固定枠１０の下枠の屋外側にそれぞれ設置される。板取付金具１１、１２は、板取付金具１１の上端側とパッキン１０ａとの間、及び板取付金具１２の下端側とパッキン１０ａとの間に、アルミパネル２０の開口縁部を挿入可能な幅の隙間が形成されるように、断面視略クランク状となっており、板取付金具１１は上端側が、板取付金具１２は下端側が屋外側に出っ張るように設置されている。なお、固定枠１０との隙間が広がった部分の高さ方向の寸法は、板取付金具１２の方が小さくなっている。
【００１９】
板取付金具１１は、左右の下端近傍が突出しており、全体としては正面視略逆凹形状となっている。板取付金具１１の左右の下端の突出部分は、屋外側に向かって庇状に突き出た庇状部１１ａとなっており、屋外フード８の天面と側面とフランジ８ａとの境界部分に存在する隙間８ｂの上方を覆っている。庇状部１１ａは、先端側が下がるように傾斜しており、この上に付着した雨水は庇状部１１ａの先端側（アルミパネル２０から離れた側）から滴下するようになっている。
【００２０】
換気扇５０をアルミパネル２０の開口部に取り付ける際には、換気扇本体７、屋外フード８、固定枠１０、固定金具９、及び板取付金具１１、１２を組み立てた後、屋外フード８側が下がるように換気扇５０を全体的に傾けた状態で板取付金具１１とパッキン１０ａとの隙間にアルミパネル２０の開口縁部を差し入れる。そして、板取り付け金具１１の段差部をアルミパネル２０に開口縁部に当接させたまま屋外フード８側を持ち上げて換気扇５０を略水平状態とする。その後、換気扇５０を持ち上げる力を解除することにより、板取付金具１２とパッキン１０ａとの隙間にアルミパネル２０の開口縁部が板取付金具１２と当接するまで挿入され、換気扇がアルミパネル２０の開口部分に設置される。換気扇を取り外す際には、換気扇を持ち上げて板取付金具１２と固定枠１０のパッキン１０ａとの隙間からアルミパネル２０の開口縁部を抜き取った後に、屋外フード８側が下がるように全体的に傾けて、板取付金具１１とパッキン１０ａとの隙間からアルミパネル２０の開口縁部を抜き取ればよい。このように、本実施の形態に係る換気扇５０は、屋内側からの作業で取り付け・取り外しが可能であるため、作業用の足場を屋外に設置することが困難な箇所（例えば、高層階の窓）にも容易に取付可能である。
【００２１】
比較のため、図６、図７に従来の換気扇１００の構成を示す。図６は、従来の換気扇１００の構成を示す斜視図である。図７は、従来の換気扇１００の上部側面の拡大図である。従来の換気扇１００は、換気扇本体１、屋外フード２、固定枠３、固定金具４、及び板取付金具５、６を有する。換気扇本体１、屋外フード２、固定枠３、固定金具４及び板取付金具６は、本実施の形態に係る換気扇５０の、換気扇本体７、屋外フード８、固定枠１０、固定金具９、及び板取付金具１２とそれぞれ同様である。板取付金具５は、本実施の形態の板取付金具１１とは異なり、庇状部を備えておらず、屋外フード２の上部の隙間は露出している。したがって、このような構成では、屋外フード２の上部の隙間からフードの中に入り込んだ雨水が、容易に室内にまで浸入する。
【００２２】
これに対し、本実施の形態に係る換気扇５０は、屋外フード８の天面と側面とフランジ８ａとの境界部分に存在する隙間８ｂの上方を、板取付金具１１の左右下端から突出した庇状部１１ａが覆っているため、屋外フード８の上部の隙間からフード内に雨水が入り込むことを防止し、ひいては室内に雨水が浸入することを防止できる。
【００２３】
このように、本実施の形態に係る換気扇は、屋外フードの上部の隙間をコーキングすることなく雨水の室内への浸入を防止できる。
【００２４】
実施の形態２．
図８、９は、本発明の実施の形態２に係る換気扇６０の構成を示す図である。図８は、実施の形態２に係る換気扇６０の構成を示す斜視図である。図９は、換気扇６０の上部側面の拡大図である。本実施の形態に係る換気扇６０は、換気扇本体１３、屋外フード１４、固定枠１７、固定金具１５、１６、板取付金具１８、１９を有する。換気扇本体１３、屋外フード１４、固定枠１７は、実施の形態１での換気扇本体７、屋外フード８、屋外固定枠１０とそれぞれ同様である。
【００２５】
固定金具１５は、屋外フード１４よりも幅広となっており、屋外フード１４の天面と側面とフランジとの境界部分の上方で屋外側に向かって突出する庇状部１５ａを備えている。一方、固定金具１６は、実施の形態１と同様に平棒状である。
【００２６】
板取付金具１８、１９は、実施の形態１と同様に、板取付金具１８の上端とパッキンとの間、及び板取付金具１９の下端とパッキンとの間に、アルミパネルを配置可能な隙間が形成されるように、断面視略クランク状となっている。ただし、板取付金具１８は庇状部を備えていない。
【００２７】
本実施の形態では、固定金具１５の庇状部１５ａが屋外フード１４の上部の隙間１４ｂを覆うことで、フード内に雨水が入り込むことを防止し、ひいては室内に雨水が浸入することを防止する。
【産業上の利用可能性】
【００２８】
以上のように、本発明にかかる換気扇は、屋外フードの上部の隙間をコーキングすることなく雨水の室内への浸入を防止に有用であり、特に、窓のサッシに設置したアルミパネルなどの板状部材の開口部に取り付けるのに適している。
【符号の説明】
【００２９】
７、１３  換気扇本体
７ａ、８ａ  フランジ
８、１４  屋外フード
８ｂ、１４ｂ  隙間
９、１５、１６  固定金具
１０、１７  固定枠
１０ａ  パッキン
１１、１２、１８、１９  板取付金具
１１ａ、１５ａ  庇状部
２０  アルミパネル
３０  窓サッシ
５０、６０  換気扇
【図１】
2011169564.tif 000003
【図２】
2011169564.tif 000004
【図３】
2011169564.tif 000005
【図４】
2011169564.tif 000006
【図５】
2011169564.tif 000007
【図６】
2011169564.tif 000008
【図７】
2011169564.tif 000009
【図８】
2011169564.tif 000010
【図９】
2011169564.tif 000011